(57)【要約】  本発明の飲料抽出装置は、上側に位置する開口部から、内部に供給された液体を保持可能なボトル部（１１０）と、ボトル部の開口部を覆う蓋（１２０）と、ボトル部が設置され、内部にベースマグネット（１３３）を回転可能に保持するベース部（１３０）と、ベースマグネットを回転させるモータ（５５）と、内部にインフューザマグネット（１４６）が配置され、ベースマグネットの回転に伴って、ボトル部の内部で上下が反転するインフューザ（１４０）と、インフューザの内部とボトル部内との液体の流出入を許容または遮断するために、ベースマグネットの磁極を制御する制御手段と、を備えている。
2019146145.tif 000002
【特許請求の範囲】
【請求項１】
上側に位置する開口部から、内部に供給された液体を保持可能なボトル部と、
前記ボトル部の前記開口部を覆う蓋と、
前記ボトル部が設置され、内部にベースマグネットを回転可能に保持するベース部と、
前記ベースマグネットを回転させるモータと、
内部にインフューザマグネットが配置され、前記ベースマグネットの回転に伴って、前記ボトル部の内部で上下が反転するインフューザと、
前記インフューザの内部と前記ボトル部内との液体の流出入を許容または遮断するために、前記ベースマグネットの磁極を制御する制御手段と、を備えた飲料抽出装置。
【請求項２】
前記ベース部は、前記ボトル部が設置されるベース部本体と、前記ベース部本体の外縁部に立設されたアーム部と、を備え、
前記ベースマグネットは、前記アーム部の内部に配置されて前記インフューザマグネットと対向していることを特徴とする請求項１に記載の飲料抽出装置。
【請求項３】
前記インフューザは略球体であり、
前記蓋は、前記インフューザを回転可能に保持する保持部を備え、
前記インフューザおよび前記保持部のうちの一方には、水平方向に延びて互いに同軸をなす一対の回転軸が形成されていることを特徴とする請求項２に記載の飲料抽出装置。
【請求項４】
前記一対の回転軸は、前記インフューザの外面に形成され、
前記保持部には、前記一対の回転軸が挿入される挿入孔が、一対形成されていることを特徴とする請求項３に記載の飲料抽出装置。
【請求項５】
前記インフューザマグネットは、前記一対の回転軸のうちのいずれか一方に配置されていることを特徴とする請求項４に記載の飲料抽出装置。
【請求項６】
前記インフューザは、前記インフューザの内部と前記ボトル部内との液体の流出入を許容するための複数の孔部を有する第１の外面と、前記インフューザの内部とボトル部内との液体の流出入を遮断する第２の外面と、を備え、
前記制御手段は、前記インフューザの内部と前記ボトル部内との液体の流出入を許容する際に、前記第１の外面が下側を向くように前記ベースマグネットの磁極を制御することを特徴とする請求項１に記載の飲料抽出装置。
【請求項７】
前記インフューザは、前記インフューザの内部のうち、前記第１の外面の内側と、前記第２の外面の内側と、を区切るメッシュ状の中皿を備えていることを特徴とする請求項６に記載の飲料抽出装置。
【請求項８】
前記ボトル部は円筒状をなすボトル本体と、前記ボトル本体から径方向の外側に向けて張り出したボトルハンドルと、を備え、
前記アーム部は、前記ベース部本体の外縁部のうち、上面視で前記ボトル本体を径方向に挟む前記ボトルハンドルの反対側に配置されていることを特徴とする請求項２に記載の飲料抽出装置。
【請求項９】
前記蓋は、円板状をなす蓋本体と、前記蓋本体から径方向の外側に向けて張り出した蓋ハンドルと、を備え、
前記蓋ハンドルは、前記ボトルハンドルと周方向の位置が一致し、かつ互いに上下方向に重なることを特徴とする請求項８に記載の飲料抽出装置。
【請求項１０】
前記インフューザは、前記インフューザの内部と前記ボトル部内との液体の流出入を許容するための複数の孔部を有する第１の外面と、前記インフューザの内部とボトル部内との液体の流出入を遮断する第２の外面と、を備え、
前記制御手段は、前記インフューザの内部と前記ボトル部内との液体の流出入を許容する際に前記第１の外面が上側を向くように前記ベースマグネットの磁極を制御することを特徴とする請求項１に記載の飲料抽出装置。
【請求項１１】
前記インフューザは、前記孔部が下側を向いた際にボトル部内の液体の流出入を遮断する遮断機構を有することを特徴とする請求項１０に記載の飲料抽出装置。
【請求項１２】
前記インフューザは、前記第１の外面側のみに前記インフューザマグネットを備えており、
前記制御手段は、前記インフューザの内部と前記ボトル部内との液体の流出入を許容する際にのみに前記ベースマグネットの磁極を制御することを特徴とする請求項１０または１１に記載の飲料抽出装置。
【発明の詳細な説明】
【技術分野】
【０００１】
本発明は、飲料抽出装置に関する。
【背景技術】
【０００２】
お茶やコーヒー等の飲料は、抽出処理が必要となる。この抽出処理は、茶葉やコーヒー豆に最適な抽出温度、抽出時間等の抽出条件が存在する。これらの抽出条件を最適に設定することで、抽出後のお茶やコーヒー等の飲料の香り、風味、味が最適となる。これらの条件を最適に設定することは、熟練したスキルが必要になるため、多くの経験を必要とすることが多い。【０００３】
経験が少なくても最適な抽出条件によって抽出された飲料を得るために、抽出条件を保存しておき、自動的に抽出を行う装置が開発されている。例えば、特許文献１は、本体の表示部に表示される表示内容に従った設定を行うことで、茶葉の種類、葉サイズ等の諸条件の違いに応じた最適な湯温、蒸らし時間による抽出工程を実施し、最適の風味、濃度を備えた茶飲料を抽出することを可能とした茶飲料抽出装置を開示している。
【先行技術文献】
【特許文献】
【０００４】
【特許文献１】特開２００７−０９８００８号公報
【発明の概要】
【発明が解決しようとする課題】
【０００５】
しかしながら、特許文献１に開示された茶飲料抽出装置は、水温が適温になった際に、茶葉用ネットが抽出容器内に下降され、抽出処理後に上昇される昇降機構部を備えているため、茶飲料抽出装置としての大きさが、大きくなる。更に、茶葉の抽出中は、当該昇降機構部が昇降を繰り返す構成となっているため、抽出中に大きな電力を必要とする可能性がある。【０００６】
また、特許文献１に開示された茶飲料抽出装置は、予め茶葉の種類等の諸条件に対応した最適の抽出条件を記憶しているが、予め記憶できる抽出条件にも限界があり、新しい茶葉の種類や新しい茶葉の配合（ブレンド）には対応できないことがある。【０００７】
本発明は上記事情に鑑みてなされたものであり、簡単な構成であり、且つコンパクトである飲料抽出装置、多種多様な茶葉やコーヒー豆の種類や配合に対応できる飲料抽出装置の制御方法、飲料抽出装置の制御プログラム、および記憶媒体を提供することを目的とする。
【課題を解決するための手段】
【０００８】
上記の課題を解決するため、本発明の飲料抽出装置は、上側に位置する開口部から、内部に供給された液体を保持可能なボトル部と、ボトル部の開口部を覆う蓋と、ボトル部が設置され、内部にベースマグネットを回転可能に保持するベース部と、ベースマグネットを回転させるモータと、内部にインフューザマグネットが配置され、ベースマグネットの回転に伴って、ボトル部の内部で上下が反転するインフューザと、インフューザの内部とボトル部内との液体の流出入を許容または遮断するために、ベースマグネットの磁極を制御する制御手段と、を備えている。【０００９】
また、ベース部は、ボトル部が設置されるベース部本体と、ベース部本体の外縁部に立設されたアーム部と、を備え、ベースマグネットは、アーム部の内部に配置されてインフューザマグネットと対向してもよい。【００１０】
また、インフューザは略球体であり、蓋は、インフューザを回転可能に保持する保持部を備え、インフューザおよび保持部のうちの一方には、水平方向に延びて互いに同軸をなす一対の回転軸が形成されてもよい。【００１１】
また、一対の回転軸は、インフューザの外面に形成され、保持部には、一対の回転軸が挿入される挿入孔が、一対形成されてもよい。【００１２】
また、インフューザマグネットは、一対の回転軸のうちのいずれか一方に配置されてもよい。【００１３】
また、インフューザは、インフューザの内部とボトル部内との液体の流出入を許容するための複数の孔部を有する第１の外面と、インフューザの内部とボトル部内との液体の流出入を遮断する第２の外面と、を備え、制御手段は、インフューザの内部とボトル部内との液体の流出入を許容する際に、第１の外面が下側を向くようにベースマグネットの磁極を制御してもよい。【００１４】
また、インフューザは、インフューザの内部のうち、第１の外面の内側と、第２の外面の内側と、を区切る中皿を備えてもよい。【００１５】
また、ボトル部は円筒状をなすボトル本体と、ボトル本体から径方向の外側に向けて張り出したボトルハンドルと、を備え、アーム部は、ベース部本体の外縁部のうち、上面視でボトル本体を径方向に挟むボトルハンドルの反対側に配置されてもよい。【００１６】
また、蓋は、円板状をなす蓋本体と、蓋本体から径方向の外側に向けて張り出した蓋ハンドルと、を備え、蓋ハンドルは、ボトルハンドルと周方向の位置が一致し、かつ互いに上下方向に重なってもよい。【００１７】
また、インフューザは、インフューザの内部とボトル部内との液体の流出入を許容するための複数の孔部を有する第１の外面と、インフューザの内部とボトル部内との液体の流出入を遮断する第２の外面と、を備え、制御手段は、インフューザの内部とボトル部内との液体の流出入を許容する際に第１の外面が上側を向くようにベースマグネットの磁極を制御してもよい。【００１８】
また、インフューザは、孔部が下側を向いた際にボトル部内の液体の流出入を遮断する遮断機構を有してもよい。【００１９】
また、インフューザは、第１の外面側のみにインフューザマグネットを備えており、制御手段は、インフューザの内部とボトル部内との液体の流出入を許容する際にのみにベースマグネットの磁極を制御してもよい。
【発明の効果】
【００２０】
本発明によると、液体としての水の温度が抽出に適した温度に達すると、ベースマグネットの磁極が制御されてインフューザの上下位置が反転されて、飲料の抽出が開始されるため、簡素な構成によって飲料抽出装置を得ることができる。
【図面の簡単な説明】
【００２１】
【図１】第１実施形態に係る飲料抽出装置の構成を示す概略図である。
【図２】図１に示すインフューザの斜視図である。
【図３】図１に示す制御部による飲料抽出装置の動作としての抽出ルーチンを示すフロー図である。
【図４】図１に示す制御部による飲料抽出装置の制御ルーチンを示すフロー図である。
【図５】図１に示す記憶部に記憶される複数の茶葉の最適な抽出条件のデータ構造の一例である。
【図６】図１に示すインフューザの変形例について、（Ａ）開封した構造と、（Ｂ）結合した構造の一例である。
【図７】図１に示す飲料抽出装置およびインフューザの構造の一例である。
【図８】図１に示す飲料抽出装置の斜視図である。
【図９】図１に示す飲料抽出装置のベースマグネットの構造等の断面図の一例である。
【図１０】図１に示す飲料抽出装置の断面図の一例である。
【図１１】第２実施形態に係る飲料抽出装置の斜視図である。
【図１２】図１１に示す飲料抽出装置の分解斜視図である。
【図１３】図１１に示す飲料抽出装置の縦断面図である。
【図１４】図１１に示す飲料抽出装置の６面図である。
【図１５】図１１に示すインフューザの６面図である。
【図１６】図１１に示すインフューザに茶葉をセットする様子を示す斜視図である。
【図１７】図１１に示すインフューザを回転させて茶葉を抽出する状態を示す図である。
【図１８】第２実施形態における制御部による飲料抽出装置の動作としての抽出ルーチンを示すフロー図である。
【発明を実施するための形態】
【００２２】
＜第１実施形態＞
以下、図１から図１０を参照して本発明の第１実施形態に係る飲料抽出装置、飲料抽出装置の制御方法、飲料抽出装置の制御プログラム、および記憶媒体について詳細に説明する。また、本実施例において、上側とは鉛直方向における上側であり、下側とは鉛直方向における下側である。
（飲料抽出装置の構成）
【００２３】
先ず、図１を用いて、飲料抽出装置１の構成を説明する。図１は、本実施形態における飲料抽出装置１の構成を示す概略図である。
【００２４】
図１に示される通り、飲料抽出装置１は、ボトル部１０、ボトル部１０を覆うことが可能な蓋部２０、ボトル部１０が設置されるベース部３０、およびボトル部１０内に没入されるインフューザ４０を含む。
【００２５】
ここで飲料抽出装置１が抽出可能な飲料としては、お茶やコーヒーが抽出元として挙げられる。しかし、本発明は、お茶やコーヒーに限定されるものではない。そして、抽出先としての溶媒も通常は水であるが、飲料として使用可能な液体であれば特に限定されるものではない。なお、本実施形態では、抽出元としてお茶と抽出先として水の場合について例示する。
【００２６】
ボトル部１０は、円筒型のボトルであり、開口部として上側の面が空いており、そこから水を供給することができ、内部に水等の液体を保持することができる。ボトル部１０の大きさは任意であり、一人用の小さいサイズでもよく、食卓にて使用される大きいサイズでもよい。ボトル部１０は、一人用の小さいサイズの場合、お茶の抽出中にはティーポットの役割を果たし、お茶の抽出後にはティーカップ（グラス）として使用される。そのため、ボトル部の最上部は、飲み口として適したつば形状に形成されている。なお、ボトル部の最上部には、注ぎ口が形成されていてもよい。
【００２７】
抽出後のお茶は、通常高温であり、このお茶の温度を保温する目的で蓋部２０によってこの上面側を覆うことが可能である。この蓋部２０は、お茶の抽出中に閉じられている必要はなく、水の中の塩素等の成分の除去のため空けられたまま使用されてもよい。
【００２８】
ボトル部１０の内側底面（下側面）は、インフューザ４０が嵌合するよう器型形状となっている。これは、インフューザ４０が多方向に回転し易くするためである。ボトル部１０の底面のカーブ形状は、インフューザ４０の外形のカーブ形状よりも緩やかでもよい（図１参照）。ボトル部１０の底面のカーブ形状をインフューザ４０の外形のカーブ形状よりも緩やかにすることで、ボトル部１０の底面とインフューザ４０との間に隙間が形成され、ボトル部１０内の水とインフューザ４０内の茶葉とが接触し易くしたり、水の対流を起こし易くしたりすることができる。もしくは、ボトル部１０の底面のカーブ形状をインフューザ４０の外形のカーブ形状と略同等とすることで、ボトル部１０内の水とインフューザ４０内の茶葉との接触を抑制することもできる。
【００２９】
ベース部３０は、電源部３１、電源部によって駆動されるベースマグネット３２、電源部によって加熱されるヒータ３３、ヒータ３３によって過熱されるボトル部１０内の水温を検出する温度センサ３４、制御部３５、および記憶部３６をベース部３０内に備える。
【００３０】
ベース部３０は、例えば、図８に示すような、ボトル部１０が設置された際に転倒しないよう保持する保持機構３０ａを備える。保持機構３０ａは、ボトル部１０の底面に形成された凸部を嵌合できるような形状に形成されていればよい。
【００３１】
電源部３１は、外部からの交流電流を適宜変圧してベースマグネット３２やヒータ３３等に供給する。この電源部は、外部電源から提供される形式でもよく、予め電力を蓄えた電池でもよい。図１では、電池である場合を示している。この電源部３１を電池とすることで毎回飲料抽出装置を外部電源に接続する手間が省ける。飲料抽出装置に電池が組み込まれている場合、この電池は一次電池であってもよく二次電池であってもよい。最近では、ＰＣ（パーソナルコンピュータ）等に設けられたＵＳＢ差込口から充電を行うことも可能であり、二次電池が好ましい。なお、二次電池として、無線による電力供給が可能なものでもよい。
【００３２】
ベースマグネット３２は、電源部３１から供給された電力を用いて回転されたモータ５５（図１０参照）によって回転駆動され、ベース部３０内に保持されている。ベースマグネット３２は、永久磁石でもよく、電磁石でもよい。本実施形態では、電磁石の場合について説明を行う。
【００３３】
ヒータ３３は、ボトル部１０に近接され、ボトル部１０内の水を加熱する。また、ヒータ３３は、電源部３１から供給された電力によって発熱する。
【００３４】
温度センサ３４は、ボトル部１０の水温を検出するためのセンサであり、ボトル部１０の温度を代用するため検地してもよく、ボトル部１０内の水温を直接検出してもよい。この温度センサ３４によって、ボトル部１０の異常な温度上昇（空焚き等）を検出することもでき、温度センサ３４は、安全装置として機能することもできる。
【００３５】
制御部３５は、電源部３１によって駆動されており、温度センサ３４からの情報や後述するユーザからの入力情報を元にベースマグネット３２またはベースマグネット３２を回転駆動させるモータ５５やヒータ３３を制御する。ここで制御部３５は、ベースマグネット３２を単に回転駆動する制御およびベースマグネット３２の磁極を制御することでインフューザ４０の上下を反転する制御を行うことが可能である。制御部３５は、記憶部３６に記憶された一または複数個のプロセッサおよびその周辺回路を備える。制御部３５は、例えば、ＣＰＵ（Central Processing Unit）である。制御部３５は、記憶部３６に記憶されているプログラムをユーザからの入力情報を元に適切な手順で実行して、ベースマグネット３２やヒータ３３を制御する。なお、ベースマグネット３２の磁極を制御する制御部３５が本発明の制御手段に相当することができる。すなわち、制御部３５は、インフューザ４０の内部とボトル部１０内の水との流出入を許容または遮断するために、ベースマグネット３２の磁極を制御する。なお、本発明において「磁極の制御」とは、ベースマグネット３２に電流を流す処理、または電流の向きを反転すること、および磁極の位置を変化させることを意味する。
【００３６】
また、ベースマグネット３２が永久磁石である場合、制御部３５は、ベースマグネット３２自体を反転させることでインフューザ４０に対向するベースマグネット３２の磁極が反転される制御を行う。本実施形態では、制御部３５が適切なプログラムを実行することでベースマグネットの磁極を制御しているが、機械的な機構によってベースマグネット３２の磁極が反転される制御を行ってもよいし、機械的な機構によって、ベースマグネット３２の磁極の位置を変化させてもよい。
【００３７】
本実施形態において、制御部３５や記憶部３６は、ベース部３０の内部に配置されているが、制御部３５や記憶部３６がベース部３０の外部に配置されていてもよい。例えば、ユーザの端末内のアプリケーションプログラムが制御部として飲料抽出装置１を制御してもよく、サーバ内のアプリケーションプログラムによって生成された処理信号をユーザの端末経由または直接、飲料抽出装置１に送信することで飲料抽出装置１を制御してもよい。更に、制御部３５は、一箇所にまとまっている必要はないため、複数個所に分割されていてもよい。例えば、部分的にベース部３０に存在し、部分的にユーザの端末に存在してもよい。ここでユーザの端末とは、ユーザにより使用される端末であり、例えばスマートフォン、携帯電話、タブレットＰＣ（Personal Computer）、ノートブックＰＣ、デスクトップＰＣ等である。
【００３８】
記憶部３６は、例えば、半導体メモリ、磁気ディスク装置、または光ディスク装置のうちの少なくともいずれか一つを備える。記憶部３６は、制御部３５での処理に用いられるオペレーティングシステムプログラム、ドライバプログラム、アプリケーションプログラム、データ等を記憶する。
【００３９】
図２は、本実施形態に係るインフューザ４０の斜視図である。インフューザ４０は、図２に示される通り、ヒンジ部４１、ロック部４２、球体の一方の半分の外面（以降、第１の外面）４３、複数の孔部４４、球体の他方の半分の外面（以降、第２の外面）４５、およびインフューザマグネット４６を有する。なお、図２を用いて、インフューザ４０を説明するが、本実施形態は図６に示すインフューザであってもよい。また、図９に示すようにインフューザマグネット４６および４９は第１の外面および第２の外面それぞれについている構成であってもよい。
【００４０】
インフューザ４０は、図２に示される通り、球体形状を有する。インフューザ４０の形状は、球体に限定される必要はなく、箱体であってもよい。インフューザ４０は、図７に示すように、開口部よりボトル部１０に没入され、水または加温された水と接触してお茶が抽出される。また、インフューザ４０は、口部茶葉を内側に封入することが可能な中空構造を有し、ユーザの好みによって様々な茶葉や茶葉の組み合わせが封入される。例えば、図６（Ａ）のように、インフューザ４０の第１の外面と第２の外面とを螺旋状の溝を設けて、開封および結合を可能とする。また、図２に示すように、茶葉を封入するためにインフューザ４０を開封するための機構として、ヒンジ部４１およびロック部４２を有するものであってもよい。この機構は、ヒンジ部４１およびロック部４２に限定されず、球体の一方の半分と球体の他方の半分とが完全に分離し、分離した断面部にネジ式のロック機構を設けてもよい。
【００４１】
インフューザ４０は、第１の外面４３がインフューザ４０の内部とボトル部１０内との液体の流出入を許容するための複数の孔部４４を有しており、第２の外面４５が凸凹や孔を有さない面からなっている。インフューザ４０は、内部とボトル部１０内との液体の流出入を許容する際には第１の外面が上側に向けられ、内部とボトル部１０内との液体の流出入を遮断する際には第２の外面が上側に向けられる。また、図６に示すようなインフューザ４０の場合、第１の外面４３がインフューザ４０の内部とボトル部１０内との液体の流出入を許容するための複数の孔部４４を有しており、第２の外面４５に孔４８を有していてもよい。
【００４２】
本実施形態では、第１の外面４３および第２の外面４５の割合を半分としたが、この割合は適宜変更可能である。例えば、茶葉の種類に応じてこの割合を変更したり、抽出条件に応じて変更したりすることが可能である。更に孔部４４の形状は、本実施形態において図２に示される通り、縦長としたが、この形状も任意であり、茶葉の種類に応じて変更してもよい。また、孔部４４は、細かい茶葉が水に混入しないよう、メッシュを有してもよい。
【００４３】
インフューザ４０は、更にインフューザマグネット４６を第１の外面４３側の内部に備えており、ベース部３０のベースマグネット３２の回転駆動に伴って回転駆動される。ここでは、インフューザマグネット４６は、永久磁石からなり、第１の外面の中央部付近に配置される。その際、インフューザマグネット４６は、上側に一方の磁極が配置され、下側に他方の磁極が配置されるように、インフューザ４０内に配置される。この構成によって、インフューザマグネット４６が第１の外面の中央部付近にのみ配置されているため、ベースマグネット３２が磁力を発生していない場合であれば、インフューザ４０の第１の外面側が重力によって下側になる。そして、ベースマグネット３２に磁力が発生した際に、インフューザマグネット４６の上下位置が反転して、インフューザ４０自体の上下方向が反転する。すなわち、制御部３５は、インフューザ４０の内部とボトル部１０内との液体の流出入を許容する際にのみにベースマグネット３２に磁極を発生させればよい。また、図９に示すように、インフューザマグネットが第１の外面および第２の外面それぞれに配置されることで、上下位置の反転を繰り返すこともできる。
【００４４】
更にインフューザ４０は、複数の孔部４４を閉じることでインフューザ４０の内部とボトル部１０内の水との流出入を遮断する遮断機構４７を有する。この遮断機構４７は、第１の外面側が下向きになった際に重力で閉じられるような機構となっており、第１の外面側が上向きになった際には、インフューザ４０の内部とボトル部１０内の水との流出入が許容される。図２では、孔部４４のインフューザ４０の内部側に孔部４４より若干大きい板状の蓋を第２の外面４５側で回転可能に支持することによって遮断機構４７が実現されている。
（飲料抽出装置の動作）
【００４５】
図３は、本実施形態に係る制御部３５による飲料抽出装置１の動作としての抽出ルーチンを示すフロー図である。まずＳ１にて制御部３５は、ユーザから希望の抽出条件の受信を待ち受ける。ユーザは、ベース部３０に備えられた操作部（図示しない）を使用して、抽出条件を入力してもよく、ユーザ自身の保有するユーザ端末を用いて抽出条件を入力してもよい。抽出条件には、抽出時間、抽出温度、および抽出物理量が含まれる。本抽出ルーチンは、ユーザからの抽出条件が受信された時点で開始される。制御部３５は、ユーザからの希望の抽出条件の入力がなされるまでＳ１の処理を繰り返す（Ｓ１がＮＯ）。
【００４６】
ユーザからの希望の抽出条件が受信されると（Ｓ１がＹＥＳ）続くＳ２にて、制御部３５は、ボトル部１０内の水をＳ１で受信した抽出条件に含まれる抽出温度となるようにヒータ３３を用いて加温を開始する。制御部３５は、Ｓ３では温度センサ３４を用いて、ボトル部１０内の水温が抽出条件に満たされるまでヒータ３３をＯＮ状態に保つ。すなわち、制御部３５は、水温が抽出条件に満たされるまでＳ３の処理を繰り返す（Ｓ３がＮＯ）。そして、水温が抽出条件に含まれる抽出温度に達した場合（Ｓ３がＹＥＳ）に、制御部３５は、Ｓ４にて水温を抽出条件に含まれる抽出温度に保つよう、ヒータ３３を制御して保温制御を行う。具体的には、制御部３５は、本抽出ルーチンとは別に存在する一般的な保温制御ルーチンを実行するための開始信号を生成し送信する。
【００４７】
続くＳ５では、ベースマグネット３２の電源が制御部３５によって入れられる。ベースマグネット３２の電源が入れられることで、ベースマグネット３２は磁力を発生して、第２の外面側４５が下側となるよう電流が制御される。すなわち、制御部３５は、インフューザ４０の内部とボトル部１０内の水との流出入を許容する際にベースマグネット３２に磁力を発生させる。更にＳ５で制御部３５は、ベースマグネット３２の回転駆動を開始する。更に、制御部３５は、抽出物理量としてのベースマグネット３２の回転速度を制御する。抽出物理量は、ベースマグネット３２の回転速度以外にもベースマグネット３２の回転位置の制御やベースマグネット３２への電力供給の強弱等、特に限定されるものではない。本実施形態において、抽出物理量は、回転速度であり、制御部３５がベースマグネット３２に送電する電圧の強弱で調整される。また、制御部３５は、Ｓ４とＳ５とを同時に行う処理とすることもできる。
【００４８】
なお、ベースマグネット３２は、抽出条件が入力された時点で電流が供給されていてもよい。この場合、制御部３５は、ベースマグネット３２がインフューザ４０の第１の外面側４３が確実に下側を向くよう磁力を発生するようベースマグネット３２への電力供給の方向を制御することができる。更に、制御部３５は、抽出条件が入力された時点でベースマグネット３２の回転駆動を開始してもよい。これによって、ボトル部１０の水温が一定になるように攪拌することができる。
【００４９】
続くＳ６で、制御部３５は、ユーザにより入力された抽出条件に含まれる抽出時間がＳ４から現時点までで経過したかを計測する。制御部３５は、抽出条件に含まれる抽出時間が経過するまでＳ６の処理を繰り返す（Ｓ６がＮＯ）。制御部３５は、抽出条件に含まれる抽出時間が経過した際に（Ｓ６がＹＥＳ）Ｓ７の処理を実行する。
【００５０】
Ｓ７で制御部３５は、ベースマグネット３２への通電を停止し、ベースマグネット３２の回転駆動も停止する。茶葉は、水と接触が続くことで苦味等の成分が抽出されるため、Ｓ７においてベースマグネット３２の回転駆動を停止し、ベースマグネット３２の磁極を反転してもよい。これによって、再度第１の外面４３が下側に位置することで、茶葉と水との接触を遮断することができる。更に、Ｓ７において、ベースマグネット３２の磁極を反転のみを行い、ベースマグネット３２の回転駆動のみを継続することもできる。これによって、抽出された飲料の攪拌を継続することができる。
【００５１】
そして、処理はＳ８に移され、制御部３５は、ユーザがＳ３でボトル部１０内の水温を保温している処理を停止するか否かを検知する。すなわち、ユーザによって、抽出後の飲料を飲み終えたか、他の容器に移される処理が完了したことによって、飲料抽出装置が停止される。ユーザが保温処理を停止するまでＳ８の処理は繰り返される（Ｓ８がＮＯ）。そして、制御部３５は、ユーザが保温処理を停止した際に（Ｓ８がＹＥＳ）本抽出ルーチンを終了する。具体的に、制御部３５は、本抽出ルーチンとは別に存在する保温制御ルーチンを停止する信号を生成し送信する。
（飲料抽出装置の制御方法）
【００５２】
次にユーザによる抽出条件の飲料抽出装置の制御方法について説明する。本実施形態では、制御部３５および記憶部３６がベース部３０内に配置されている構成を例示しているが、制御部３５および記憶部３６は、ユーザ端末や外部のサーバ等によって実現されてもよい。また、操作部（図示しない）についてもベース部３０に配置されている構成を例示しているが、操作部は、ユーザ保有するユーザ端末であってもよい。ユーザ端末を制御部３５や操作部とする場合、ユーザ端末と飲料抽出装置１がBluetooth（登録商標）等のＮＦＣ（Near Field Communication）によって通信することで、ユーザ端末と飲料抽出装置１を確実にペアリングすることが可能となる。
【００５３】
図４は、本実施形態に係る制御部３５による飲料抽出装置１の制御ルーチンを示すフロー図である。まず、Ｓ１１にて、制御部３５は、ユーザから茶葉の種類や必要に応じて抽出補助条件の受信を待機する。ユーザは、操作部を用いて茶葉の種類や必要に応じて抽出補助条件を入力する。制御部３５は、ユーザから抽出補助条件の入力がなされるまでＳ１１の処理を繰り返す（Ｓ１１がＮＯ）。
【００５４】
そして、ユーザから抽出補助条件が受信されると（Ｓ１１がＹＥＳ）制御部３５は、Ｓ１２にて入力された茶葉の種類について最適な抽出時間、抽出温度、および抽出物理量を少なくとも含む抽出条件を記憶部３６より取得する。
【００５５】
図５は、記憶部３６に記憶される複数の茶葉の最適な抽出条件のデータ構造の一例である。図５に示される通り、記憶部３６は、複数の茶葉の最適な抽出条件として、個々の茶葉に最適な抽出時間、抽出温度、および抽出物理量を記憶している。ここでも抽出物理量とは、充填されるインフューザ４０の回転数または回転速度であってもよい。図５に示す例では、１分間の回転数としてｒｐｍが用いられている。更に記憶部は、複数の茶葉の各々について、抽出補助条件も記憶している。抽出補助条件とは、個々の茶葉について酸味、アロマ、甘い、苦い等を得たり、緩和したりするための補助的な抽出条件である。
【００５６】
Ｓ１３にて、制御部３５は、抽出された抽出条件を用いて、最適な抽出条件を算出する。また、記憶部３６は、ユーザが今まで抽出してきた抽出条件や抽出補助条件を蓄積することができ、制御部３５は、ユーザの嗜好に合わせて抽出条件や抽出補助条件を茶葉に応じて制御部３５にて算出することができる。記憶部３６がインターネット回線で接続されたサーバ等である場合は、様々なユーザの抽出条件を蓄積することもできるため、制御部３５は、巨大なデータベースを用いて茶葉やユーザに最適な抽出条件を算出することもできる。
【００５７】
また、ユーザは、ユーザの好みに合う複数の茶葉を組み合わせて飲料を抽出することもできる。所謂ブレンドティーである。飲料抽出装置１は、複数の茶葉の組み合わせに応じた抽出条件や抽出補助条件を算出することもできる。具体的には、ユーザは、個々の茶葉が各々何割ずつ含まれているかを、操作部を通じて制御部３５に入力する。そして、制御部は、複数の茶葉の組み合わせに応じた抽出条件や抽出補助条件を算出することができる。本実施形態において、抽出条件や抽出補助条件を算出するのは、制御部３５であり、飲料抽出装置１の制御を行うのも制御部３５であるが、これらの動作を複数の制御部で行う場合、一の制御部で算出された抽出条件や抽出補助条件を他の制御部に送信することで実現可能である。なお、操作部を介して、各ユーザが、お勧めのブレンドティーを例えばＳＮＳ等に投稿できてもよい。
【００５８】
茶葉によって、抽出温度、抽出時間、および抽出物理量が過度になることで苦味等の成分が抽出されてしまうことがある。制御部３５は、複数の茶葉の組み合わせをユーザが入力した場合に、記憶部３６から抽出された個々の茶葉における抽出条件のうち最短の抽出時間、最低の抽出温度、および最小の抽出物理量を最適な抽出条件として算出する。一方、複数の茶葉の有効成分を全て抽出したい場合、制御部３５は、記憶部３６から抽出された個々の茶葉における抽出条件のうち最大の抽出時間、最大の抽出温度、および最大の抽出物理量を最適な抽出条件として算出する。
【００５９】
また、茶葉の組み合わせによっては、飲み合わせが悪く、ユーザに腹痛等をもたらす可能性がある。そこで、記憶部３６は、茶葉の悪い飲み合わせについて記憶しておくことができ、仮にユーザが飲み合わせの悪い複数の茶葉を選択した際に、ユーザに警告することが可能である。
【００６０】
続くＳ１４で、制御部３５は、算出された最適な抽出条件を飲料抽出装置１に送信して、飲料抽出装置１は、飲料の抽出を開始する。
【００６１】
続くＳ１５で、制御部３５は、茶葉から抽出処理が完了したか否かを判断する。制御部３５は、茶葉から抽出処理が完了するまでＳ１５の処理を繰り返す（Ｓ１５がＮＯ）。そして、茶葉から抽出処理が完了した際には（Ｓ１５がＹＥＳ）、茶葉から抽出処理が完了したことをユーザに報知する（Ｓ１６）。制御部３５は、Ｓ１６が完了すると本制御ルーチンを終了する。
【００６２】
なお、本実施形態で説明した制御部を構成する機能を実現するためのプログラムを、コンピュータ読み取り可能な記録媒体に記録して、当該記録媒体に記録されたプログラムをコンピュータシステムに読み込ませ、実行することにより、本実施形態の上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６３】
（第１変形例）
上記実施形態では、インフューザ４０が、一つのインフューザマグネット４６を内部に備えていたが、第１の外面の中央部付近に一つのインフューザマグネット、第２の外面の中央部付近に一つのインフューザマグネットを配置することもできる。この構成によって、インフューザ４０の重心を中心に寄せることができ、ベースマグネット３２の磁極の反転時に、インフューザ４０がスムーズに反転される。この場合、２つの磁石の上側が同一の磁極となるように２つの磁石を配置される必要がある。
【００６４】
この際に、制御部３５は、Ｓ２にてベースマグネット３２に磁力を発生させて、インフューザ４０の内部とボトル部１０内の水との流出入を許容する際に、インフューザ４０に対向する位置のベースマグネット３２の磁極を第１極に設定する。そして、制御部３５は、Ｓ５にてインフューザ４０の内部とボトル部１０内との液体の流出入を許容する際にインフューザ４０に対向する位置のベースマグネット３２の磁極を第２極に設定する。
【００６５】
（第２変形例）
上記本実施形態および第１変形例では、第１の外面の中央部付近および／または第１の外面の中央部付近にインフューザマグネット４６を配置したが、インフューザ４０が上下方向に配置されている際の側面に棒状のインフューザマグネットを１つまたは複数配置することもできる。棒状のインフューザマグネットは、上側が一の磁極となり、下側が他の磁極となるように配置される。この場合の制御部３５の処理は、上記第１変形例と同様であるため、説明は割愛する。
【００６６】
以上説明したように、本実施形態に係る飲料抽出装置１によれば、液体としての水の温度が抽出に適した温度に達すると、ベースマグネット３２の磁極が制御されてインフューザ４０の上下位置が反転されて、飲料の抽出が開始される。よって、簡素な構成によって飲料抽出装置１を実現することができる。
【００６７】
また、例えばボトル部１０内の上下方向の位置により、茶葉から抽出された液体に濃度の違いが出た場合であっても、インフューザ４０の上下が反転することで、ボトル部１０内の液体を上下方向に攪拌することができる。これにより、飲料抽出装置１の機能を向上することができる。
【００６８】
また、インフューザ４０が略球体であり、ボトル部１０の内側底面が、インフューザ４０が嵌合するよう器型形状となっているので、ボトル部１０の底面とインフューザ４０の球面が一致するため、インフューザ４０が回転し易くなる。
【００６９】
また、制御手段が、インフューザ４０の内部とボトル部１０内との液体の流出入を許容する際に第１の外面４３が上側を向くようにベースマグネット３２の磁極を制御するので、ベースマグネット３２の磁極を制御することだけで、飲料の抽出を開始することができるため、大掛かりな装置でもなく、また省電力で飲料の抽出を行うことができる。
【００７０】
また、インフューザ４０が、孔部４４が下側を向いた際にインフューザ４０の内部とボトル部１０内との液体の流出入を遮断する遮断機構４７を有しているので、インフューザ４０の孔部４４が下側を向いた際に確実にインフューザ４０の内部とボトル部１０内との液体の流出入を遮断できる。このため、飲料の抽出開始までインフューザ４０の内部を乾燥した状態で保つことができる。
【００７１】
また、インフューザ４０が、第１の外面４３側のみにインフューザマグネット４６を備えている場合には、片側のみにインフューザマグネット４６を設けることで、インフューザ４０自体の重量やコストを下げることができる。
【００７２】
また、制御手段が、インフューザ４０の内部とボトル部１０内との液体の流出入を許容する際のみにベースマグネット３２の磁極を制御する場合には、重力によって第１の外面４３側が下側を向くため、ベースマグネット３２の制御を行わなくとも、抽出開始までインフューザ４０の内部とボトル部１０内との液体の流出入が許容されない。
【００７３】
また、制御手段が、インフューザ４０の内部とボトル部１０内との液体の流出入を許容する際に電磁石に磁力を発生させるので、インフューザ４０の内部とボトル部１０内との液体の流出入を許容する際のみに電力を使用するため、飲料の抽出にかかる電力使用料を抑えることができる。
【００７４】
また、インフューザ４０が、第１の外面４３側および第２の外面４５にインフューザマグネット４６を備え、インフューザマグネット４６が、それぞれの上側が一の磁極となるように配置されている。このため、インフューザマグネット４６による重心がインフューザ４０の中央に寄ることで、インフューザ４０の上下回転がスムーズになる。
【００７５】
また、制御手段が、インフューザ４０の内部とボトル部１０内との液体の流出入を許容する際に第１の外面４３が上側を向くようにベースマグネット３２の磁極を制御するとともに、インフューザ４０の内部とボトル部１０内との液体の流出入を遮断する際に第２の外面４５が上側を向くようにベースマグネット３２の磁極を制御する。このため、ベースマグネット３２の磁極を適切に制御することで、インフューザ４０の内部とボトル部１０内との液体の流出入を遮断しながら、インフューザ４０を回転させることができるので、ボトル部１０内の液体を攪拌することができる。
【００７６】
また、インフューザ４０が、当該インフューザ４０が上下方向に配置されている際の側面に棒状の永久磁石をインフューザマグネット４６として備えているので、インフューザマグネット４６による重心がインフューザ４０の中央に寄るため、インフューザ４０の上下回転がスムーズになる。
【００７７】
また、制御手段が、インフューザ４０の内部とボトル部１０内との液体の流出入を許容する際に、インフューザ４０に対向する位置のベースマグネット３２の磁極を第１極に設定し、インフューザ４０の内部とボトル部１０内との液体の流出入を遮断する際にインフューザ４０に対向する位置のベースマグネット３２の磁極を第２極に設定する。
このため、ベースマグネット３２の磁極を制御するだけで、インフューザ４０の上下方向を制御できるため、簡単にインフューザ４０の内部とボトル部１０内との液体の流出入を許容したり、遮断したりすることができる。
【００７８】
また、本発明に係る飲料抽出装置１の制御方法は、ユーザが入力した内容物を受信する受信ステップと、内容物に最適な抽出時間、抽出温度、および抽出物理量を少なくとも含む抽出条件を記憶部３６より取得する取得ステップと、取得された抽出条件を、抽出装置を制御する制御部３５に送信する送信ステップと、内容物から抽出処理が完了したことをユーザに報知する報知ステップと、を備えている。
【００７９】
この場合には、ユーザが入力した内容物に最適な抽出条件を記憶部３６から取得するため、様々な内容物に最適な抽出条件を飲料抽出装置１として実現できる。
【００８０】
また、抽出物理量は、抽出装置が備える内容物を充填されるインフューザ４０の回転数または回転速度である。
【００８１】
この場合には、内容物に応じてじっくり抽出行程を行うか、迅速に行うかを設定できるため、最適な抽出条件で飲料が抽出できる。
【００８２】
また、受信ステップにおいて、ユーザから複数種類の内容物を受信した場合に、取得ステップは、複数種類の内容物の個々の種類の内容物の各々に最適な抽出時間、抽出温度、および抽出物理量を少なくとも含む抽出条件を記憶部３６より取得してもよく、抽出された個々の抽出条件からユーザから受信した複数種類の内容物に最適な抽出時間、抽出温度、および抽出物理量を含む最適な抽出条件として算出する算出ステップを更に備えている。
【００８３】
この場合には、ユーザによって入力されたオリジナルブレンドに対応する最適な抽出条件を、記憶部３６を参酌して算出できるため、ユーザは、手間をかけずにオリジナルブレンドを抽出した飲料を得ることができる。
【００８４】
また、算出ステップは、個々の種類の内容物のうち最短の抽出時間、最低の抽出温度、および最小の抽出物理量を最適な抽出条件として算出する。
【００８５】
この場合には、算出部は、簡易な算出方法によって、オリジナルブレンドに対応する適切な抽出条件を算出することができる。
【００８６】
また、算出ステップにおいて、複数種類の内容物に含まれる個々の種類の内容物同士の飲み合わせが悪いことが算出された場合にユーザに警告する警告ステップを更に備えている。
【００８７】
この場合には、ユーザにとって影響のありそうなオリジナルブレンドの抽出を抑制でき、または、抽出された飲料を飲んでしまうことを抑制できる。
【００８８】
また、受信ステップは、ユーザからユーザの嗜好情報を併せて受信してもよく、算出ステップは、ユーザの嗜好情報に応じた抽出条件を算出してもよい。
【００８９】
また、ユーザの嗜好情報に基づいてユーザにとって最適な抽出条件を算出できるため、ユーザが細かい抽出条件を設定しなくてもユーザにとって最適な飲料を抽出できる。
【００９０】
また、本発明に係る飲料抽出装置１の制御プログラムは、コンピュータに、ユーザが入力した内容物を受信する受信機能と、内容物に最適な抽出時間、抽出温度、および抽出物理量を少なくとも含む抽出条件を記憶部３６より取得する取得機能と、取得された抽出条件を、抽出装置を制御する制御部３５に送信する送信機能と、内容物から抽出処理が完了したことをユーザに報知する報知機能と、を実現させる。
【００９１】
この場合には、ユーザが入力した内容物に最適な抽出条件を記憶部３６から取得するため、様々な内容物に最適な抽出条件を飲料抽出装置１として実現できる。
【００９２】
また、本発明にかかる一態様の記憶媒体は、上記態様にかかる飲料抽出装置１の制御プログラムを格納している。
【００９３】
＜第２実施形態＞
以下、図１１から図１８を参照して、本発明の第２実施形態に係る飲料抽出装置２について説明する。
なお、この説明において、第１実施形態と同様の構成および制御方法についてはその説明を省略する。また、第１実施形態と同様の効果についても、その説明を省略する。
【００９４】
図１１は、第２実施形態に係る飲料抽出装置２の斜視図である。図１２は、飲料抽出装置２の分解斜視図である。図１３は、飲料抽出装置２の縦断面図である。
図１１から図１３に示すように、本実施形態に係る飲料抽出装置２は、上側に位置する開口部から、内部に供給された液体を保持可能なボトル部１１０と、ボトル部１１０の開口部を覆う蓋部１２０と、ボトル部１１０が設置され、内部にベースマグネット１３３を回転可能に保持するベース部１３０と、を備えている。
【００９５】
図１２に示すように、ボトル部１１０は円筒状をなすとともに、液体を保持可能なボトル本体１１１と、ボトル本体１１１から径方向の外側に向けて張り出したボトルハンドル１１２と、を備えている。
ここで、ボトル本体１１１の中心軸線Ｏは上下方向に延びている。以下の説明において、上面視でボトル本体１１１の中心軸線Ｏと直交する方向を径方向といい、中心軸線Ｏ回りに周回する方向を周方向という。
【００９６】
ボトル本体１１１の外周壁は、例えばガラス等の内部を視認可能な透光性を備えた材料により形成されている。このため、ボトル本体１１１の内容物の量を外部から視認することができる。
図１３に示すように、ボトル本体１１１の上端部には、注ぎ口が形成されている。ボトル本体１１１の上面は、蓋部１２０で覆うことが可能となっている。蓋部１２０は、円板状をなす蓋部本体１２１と、蓋部本体１２１から径方向の外側に向けて張り出した蓋ハンドル１２２と、を備えている。
【００９７】
図１２に示すように、蓋部本体１２１の上面には、ボトル本体１１１に装着された蓋部本体１２１を、ボトル本体１１１から取り外す際に操作される操作部１２３が設けられている。また、蓋部本体１２１は、インフューザ１４０を回転可能に保持する保持部１２４を備えている。蓋部本体１２１の下面に、保持部１２４が固定されている。
【００９８】
図１３に示すように、保持部１２４は、円弧状を呈している。保持部１２４における円弧に沿った両端部には、後述するインフューザ１４０の回転軸１４１が挿入される挿入孔１２５が一対形成されている。挿入孔１２５は、保持部１２４を径方向に貫いている。
保持部１２４における円弧に沿った一端部には、挿入孔１２５の内側から外部に向けて開口された挿入口１２６が形成されている。
【００９９】
蓋ハンドル１２２は、蓋部本体１２１から径方向の外側に向けて突出する連結部１２７と、連結部１２７における径方向の外端部から、下方に向けて延びる把持部１２８と、を備えている。
把持部１２８の上下方向の大きさは、ボトル本体１１１の上下方向の大きさよりも小さくなっている。
【０１００】
ベース部１３０は、ボトル部１１０が設置されるベース部本体１３１と、ベース部本体１３１の外縁部に立設されたアーム部１３２と、を備えている。
ベース部本体１３１には、電源部によって加熱されるヒータ３３、ヒータ３３によって過熱されるボトル部１１０内の水温を検出する温度センサ３４、制御部（制御手段）３５、および記憶部３６が内蔵されている。
【０１０１】
図１３に示すように、ベース部１３０は、ベースマグネット１３３を回転可能に保持している。ベース部１３０におけるアーム部１３２の内部に、ベースマグネット１３３と、ベースマグネット１３３を回転させるモータ５５と、が配置されている。モータ５５の駆動軸５５Ａは水平方向に延びている。
【０１０２】
本実施形態では、ベースマグネット１３３には、一対の永久磁石が採用されている。一対のベースマグネット１３３は、それぞれの磁極の向きを互いに異ならせた状態で、上下方向に互いに隣り合うように配置されている。
そして、モータ５５の駆動軸５５Ａが回転すると、一対の永久磁石は、互いの上下方向の位置を変更するように、駆動軸５５Ａ回りに回転する。
【０１０３】
図１４は、飲料抽出装置２の６面図である。図１４に示すように、アーム部１３２は、ベース部本体１３１の外縁部のうち、上面視でボトル本体１１１を径方向に挟むボトルハンドル１１２の反対側に配置されている。蓋ハンドル１２２は、ボトルハンドル１１２と周方向の位置が一致し、かつ互いに上下方向に重なっている。
【０１０４】
図１３に示すように、インフューザ１４０は、略球体であるとともに、その外面に水平方向に延びて互いに同軸をなす一対の回転軸１４１が形成されている。回転軸１４１は、蓋部１２０に固定された保持部１２４により、回転可能に保持されている。
インフューザマグネット１４６は、一対の回転軸１４１のうちのいずれか一方における先端部に配置されている。本実施形態では、インフューザマグネット１４６には、一対の永久磁石が採用されている。
【０１０５】
インフューザ１４０の一方の回転軸１４１における先端部には、マグネットケース１４２が連結されている。マグネットケース１４２は、上下方向に延びる長円形状を呈している。マグネットケース１４２の内部に、一対のインフューザマグネット１４６がそれぞれ配置されている。
【０１０６】
一対のインフューザマグネット１４６は、それぞれの磁極の向きを互いに異ならせた状態で、上下方向に互いに隣り合うように配置されている。このように、一対のインフューザマグネット１４６におけるそれぞれの磁極の向きを互いに異ならせていることで、一対のインフューザマグネット１４６の初期位相を容易に特定することができる。
なお、このような初期位相の特定機能を求めないのであれば、一対のインフューザマグネット１４６を、それぞれの磁極の向きを一致させた状態で、上下方向に互いに隣り合うように配置してもよい。
【０１０７】
一対のインフューザマグネット１４６は、一対のベースマグネット１３３を水平方向に間隔をあけて対向している。図示の例では、一対のインフューザマグネット１４６および一対のベースマグネット１３３は、ボトル本体１１１の外周壁およびアーム部１３２の外壁を介して、水平方向に隣り合う位置に配置されている。
【０１０８】
一対のインフューザマグネット１４６、および一対のベースマグネット１３３のうち、水平方向に互いに対向するもの同士には、互いの磁力により引力が作用している。
このため、ベースマグネット１３３がモータ５５の駆動軸５５Ａ回りに回転すると、インフューザマグネット１４６が、ベースマグネット１３３と同期して、駆動軸５５Ａ回りに回転する。これにより、インフューザ１４０の上下が反転する。
【０１０９】
図１５は、インフューザ１４０の６面図である。図１５に示すように、本実施形態におけるインフューザ１４０の第１の外面１４３には、メッシュ状の複数の孔部１４４が形成されている。複数の孔部１４４は、第１の外面１４３における頂部を除く全域にわたって形成されている。
【０１１０】
図１２に示すように、インフューザ１４０はまた、インフューザ１４０の内部のうち、第１の外面１４３の内側と、第２の外面１４５の内側と、を区切るメッシュ状の中皿１４７を備えている。
中皿１４７は、平面視で円形状をなし、全域にわたってメッシュが形成されている。このため、中皿１４７は、茶葉が中皿１４７を通過するのを規制する一方、液体が中皿１４７を通過するのを許容する。
インフューザ１４０の第２の外面１４５における底部には、貫通孔１４８が形成されている。このため、貫通孔１４８から第２の外面１４５の内側に、液体の流入が可能となっている（図１７（ａ）参照）。
【０１１１】
制御部３５は、インフューザ１４０の内部とボトル部１１０内との液体の流出入を許容する際に、第１の外面１４３が下側を向くようにベースマグネット１３３の磁極を制御する。本実施形態では、制御部３５はベースマグネット１３３の位置を変化させることで、ベースマグネット１３３の磁極を制御する
この点について、インフューザ１４０の内部への茶葉の充填と、茶葉の抽出の際のインフューザ１４０の動作とともに、図１６から図１８を用いて詳述する。図１６は、インフューザ１４０に茶葉をセットする様子を示す斜視図である。図１７は、インフューザ１４０を回転させて茶葉を抽出する状態を示す図である。図１８は、第２実施形態における制御部３５による飲料抽出装置２の動作としての抽出ルーチンを示すフロー図である。
なお、図１７では、図の見やすさを考慮して、インフューザ１４０以外の部品の図示を省略している。
【０１１２】
図１６に示すように、インフューザ１４０の中皿１４７に茶葉を載置した状態で、第１の外面１４３と第２の外面１４５とを装着する。そして、インフューザ１４０の回転軸１４１を蓋部１２０の保持部１２４に挿入する。
この際、一対の回転軸１４１のうち、マグネットケース１４２が連結されていない方を、保持部１２４の挿入孔１２５に通した状態で、一対の回転軸１４１のうち、マグネットケース１４２が連結されている方を、保持部１２４の挿入口１２６から挿入する。
【０１１３】
これにより、蓋部１２０がインフューザ１４０を回転可能に保持する。そして、水を充填したボトル部１１０に蓋部１２０を装着する。そして、図１８に示す制御フローのうち、Ｓ１からＳ４の工程を行う。
次に、図１７（ａ）に示す状態から、Ｓ５として、制御部３５の制御によりモータ５５を駆動させ、インフューザ１４０を上下に反転させる（図１７（ｂ））。
【０１１４】
これにより、中皿１４７の上面から、インフューザ１４０の第１の外面１４３の内側に、茶葉が落下して水に浸漬され、茶葉が抽出される。抽出された液体は、孔部１４４を通過してボトル本体１１１の全域にいきわたる。
制御部３５は、抽出条件に含まれる抽出時間が経過するまでＳ６の処理を繰り返す（Ｓ６がＮＯ）。制御部３５は、抽出条件に含まれる抽出時間が経過した際に（Ｓ６がＹＥＳ）Ｓ７の処理を実行する。
【０１１５】
そして、Ｓ７では、茶葉の抽出が完了すると、制御部３５の制御によりモータ５５を更に駆動させ、インフューザ１４０を更に回転させる（図１７（ｃ））。これにより、茶葉が中皿１４７の上面に載置された状態となり、抽出が終了する。そして、処理はＳ８に移される。
【０１１６】
以上説明したように、本実施形態に係る飲料抽出装置２によれば、ベース部１３０が、ベース部本体１３１の外縁部に立設されたアーム部１３２を備え、ベースマグネット１３３が、アーム部１３２の内部に配置されている。
このため、ベースマグネット１３３を、インフューザ１４０に対して水平方向に隣り合う位置に配置することが可能になる。そして、ベースマグネット１３３と水平方向に対向する位置にインフューザマグネット１４６を配置することで、インフューザ１４０の直径を大きくしても、インフューザ１４０の回転の姿勢によらず、インフューザマグネット１４６とベースマグネット１３３との間の距離が大きくなるのを抑えることができる。これにより、ベースマグネット１３３によりインフューザ１４０を確実に回転させることができる。
【０１１７】
これにより、ベースマグネット１３３が、ベース部本体１３１の内部に配置されている構成と比較して、インフューザ１４０の直径を大きくすることが可能になり、茶葉を抽出する際に、茶葉が膨らむ空間をインフューザ１４０内に確保することで、飲料抽出装置２により茶葉の抽出の品質を向上することができる。
また、ベース部本体１３１の内部にベースマグネット１３３を配置する構成と比較して、ベースマグネット１３３の内部に占めるヒータ３３の体積を大きく確保することが可能になり、製造実現性を確保することができる。
【０１１８】
また、球体状のインフューザ１４０が一対の回転軸１４１を備え、蓋部１２０に固定された保持部１２４により回転軸１４１が保持されている。このため、蓋部１２０と同時にインフューザ１４０をボトル本体１１１から取り外すことが可能になり、インフューザ１４０の取扱性を確保することができる。
【０１１９】
また、例えばインフューザ１４０を保持する部分をボトル本体１１１の内部に設ける構成と比較して、ボトル本体１１１の構造をシンプルにして、ボトル本体１１１内の空間容積を確保することができる。
また、インフューザ１４０の外面に回転軸１４１を形成することで、インフューザ１４０の外面に凹部を形成する構成と比較して、インフューザ１４０の成形性を確保することができる。
【０１２０】
また、インフューザマグネット１４６が、一対の回転軸１４１のうちのいずれか一方に配置されている。このため、インフューザマグネット１４６を、インフューザ１４０の内部に設ける構成と比較して、ベースマグネット１３３とインフューザマグネット１４６との距離を近くすることができる。
これにより、ベースマグネット１３３とインフューザマグネット１４６とを用いた、インフューザ１４０の回転操作を円滑に行うことができる。
【０１２１】
また、インフューザ１４０が、第１の外面１４３と第２の外面１４５とを備え、制御手段が、インフューザ１４０の内部とボトル部１１０内との液体の流出入を許容する際に、第１の外面１４３が下側を向くようにベースマグネット１３３の磁極を制御する。
このため、孔部１４４が形成された第１の外面１４３が上側を向くときに、インフューザ１４０の内部とボトル部１１０内との液体の流出入が遮断されることとなり、第１の外面１４３を上側に向けることで、茶葉の抽出を停止することができる。
【０１２２】
また、インフューザ１４０が、インフューザ１４０の内部のうち、第１の外面１４３の内側と、第２の外面１４５の内側と、を区切る中皿１４７を備えている。
このため、茶葉がインフューザ１４０の内部で攪拌されすぎるのを抑え、茶葉の抽出を円滑に行うことができる。
【０１２３】
また、アーム部１３２が、ベース部本体１３１の外縁部のうち、上面視でボトル本体１１１を径方向に挟むボトルハンドル１１２の反対側に配置されている。このため、アーム部１３２と、ボトルハンドル１１２とが重なるのを抑えるとともに、飲料抽出装置２の見栄えを向上することができる。
【０１２４】
また、蓋部１２０の蓋ハンドル１２２が、ボトルハンドル１１２と周方向の位置が一致し、かつ互いに上下方向に重なるので、蓋ハンドル１２２およびボトルハンドル１１２のかさばりを抑えてコンパクトな構成とすることができる。
【０１２５】
以上、本発明の実施形態について、図面を参照して説明してきたが、具体的な構成はこの実施形態に限定されるものではない。
例えば、上記各実施形態では、ボトル部１０，１１０が円筒状をなす構成を示したが、このような態様に限られない。ボトル部１０，１１０は、例えば角筒状であってもよい。
【０１２６】
また、上記第２実施形態においては、回転軸１４１がインフューザ１４０の外面に形成されている構成を示したが、このような態様に限られない。保持部１２４における円弧の両端部に、インフューザ１４０に向けて突出する一対の回転軸１４１が各別に形成され、インフューザ１４０の外面に、回転軸１４１が挿入される挿入凹部が形成されてもよい。
【０１２７】
また、本発明の趣旨を逸脱しない範囲においての種々の変更も含まれる。また、前述した各実施形態における構成を適宜組み合わせてもよい。
【符号の説明】
【０１２８】
１、２      飲料抽出装置
１０、１１０    ボトル部
２０、１２０    蓋部
３０、１３０    ベース部
３２、１３３    ベースマグネット
４０、１４１    インフューザ
４３、１４３    第１の外面
４４、１４４    孔部
４５、１４５    第２の外面
４６、１４６    インフューザマグネット
４７  遮断機構
１３１  ベース部本体
１３２  アーム部
１４７  中皿
【図１】
2019146145.tif 000003
【図２】
2019146145.tif 000004
【図３】
2019146145.tif 000005
【図４】
2019146145.tif 000006
【図５】
2019146145.tif 000007
【図６】
2019146145.tif 000008
【図７】
2019146145.tif 000009
【図８】
2019146145.tif 000010
【図９】
2019146145.tif 000011
【図１０】
2019146145.tif 000012
【図１１】
2019146145.tif 000013
【図１２】
2019146145.tif 000014
【図１３】
2019146145.tif 000015
【図１４】
2019146145.tif 000016
【図１５】
2019146145.tif 000017
【図１６】
2019146145.tif 000018
【図１７】
2019146145.tif 000019
【図１８】
2019146145.tif 000020
【国際調査報告】
2019146145.tif 000021
2019146145.tif 000022
2019146145.tif 000023
2019146145.tif 000024